(57)【特許請求の範囲】
【請求項１】
上方に開口部を有する収納袋と、
前記収納袋の前記開口部の縁から延びて設けられ、折り曲げて、前記収納袋の側壁の上方の一部分に貼り付けられることにより前記開口部の蓋をするフラップと、
前記フラップの、前記収納袋の側壁の前記一部分と接触する部分に、又は前記収納袋の側壁の前記一部分に設けられた粘着剤層と、
前記収納袋の側壁の前記一部分に設けられたミシン目とを備え、
前記ミシン目の形状は、その裾野部分が前記開口部の方に向く山形形状を含み、
前記収納袋の側壁に、前記ミシン目に隣接するように設けられた、離型剤を含む離型剤層をさらに備える不正開封防止収納体。
【請求項２】
前記ミシン目は、前記開口部の縁に平行に複数個並んで設けられている請求項１に記載の不正開封防止収納体。
【請求項３】
前記ミシン目の山形形状は、Ｖ字形状、円弧形状、Ｕ字形状、四角形状、×印形状、十字が２つ並んでなる形状、Ｈ字形状又はＨ字の変形形状を含む請求項１又は２に記載の不正開封防止収納体。
【発明の詳細な説明】
【技術分野】
【０００１】
本発明は一般に不正開封防止収納体に関するものであり、より特定的には、第３者が不正に収納体を開けようとした場合、そのことが明瞭にわかるように改良された不正開封防止収納体に関する。
【背景技術】
【０００２】
例えば、スーパなどの売り場内においては、物品を袋に入れて陳列し、顧客に手に取らせて選択させる購買シーンが多い。この時、第３者に不正に袋を開けさせることを防止できるものが強く求められている。
【０００３】
図１１は、特許文献１に開示される、開封判別機能を有する保管物品用の収容体１００の概念図である。透明かつ柔軟な合成樹脂シート体により全体が形成され、折り返し可能なフラップ部３０ａを有する封筒形の収容体であり、フラップ３０ａと該フラップ３０ａが貼着される重ね部とからなる封止部１Ｂを有する。封止部１Ｂは、フラップ部３０ａを、重ね部に固定された開封判別用積層体５０に対してリフト用粘着層７０によって貼着、固定して封止される構造であり、開封操作によって開封判別用積層体５０に内部破壊を生じさせて開封表示を出現させるようになっている。図中、２０は正面側シート体、３０は背面側シート体、１Ａは収容体本体部、ｋ−１は鍵（収容保護物品）、ｋ−２はカード（収容保護物品）である。
【先行技術文献】
【特許文献】
【０００４】
【特許文献１】特開２００３−２５２３４３号公報
【発明の概要】
【発明が解決しようとする課題】
【０００５】
特許文献１に開示される収容体１００は、保管物品に不正な行為がなされた場合に外観上一目で判別することが出来、それにより不正な行為を抑止する。しかしながら、不正開封防止収納体の開封判別用積層体５０は、色抜き反転表示、有色表示、色抜き反転逆表示を含む複雑な構造になっており、もっと簡略化された、より安価に製造できる不正開封防止収納体が求められていた。
【０００６】
本発明は、斯かる実情に鑑み、第３者が不正に収納体を開けようとした場合、そのことが明瞭にわかるように改良された不正開封防止収納体を提供することを目的とする。
【０００７】
本発明の他の目的は製造が容易な不正開封防止収納体を提供することにある。
【課題を解決するための手段】
【０００８】
本発明に係る不正開封防止収納体は、上方に開口部を有する収納袋と、該収納袋の上記開口部の縁から延びて設けられ、折り曲げて、上記収納袋の側壁の上方の一部分に貼り付けられることにより上記開口部の蓋をするフラップと、上記フラップの、上記収納袋の側壁の上記一部分と接触する部分に、又は上記収納袋の側壁の上記一部分に設けられた粘着剤層と、上記収納袋の側壁の上記一部分に設けられたミシン目とを備える。上記ミシン目の形状は、その裾野部分が上記開口部の方に向く山形形状を含む。上記収納袋の側壁に、上記ミシン目に隣接するように設けられた、離型剤を含む離型剤層をさらに備える。
【０００９】
本発明に係る不正開封防止収納体によれば、収納袋に商品を入れてフラップで閉じた時に、フラップと収納袋の側壁に設けられたミシン目部分とが粘着層によって接着する。そしてそのミシン目の形状は、その裾野部分が上記開口部の方に向く山形形状を含むので、第３者が不正に開けた場合に、そのミシン目部分から収納袋が裂けて破れる。フラップを元に戻そうと収納袋の側壁に再び貼り付けても、開けた形跡が裂け目として歴然として残り、第３者が不正に収納体を開けようとしたことが明瞭にわかる。
【００１０】
上記ミシン目は、上記開口部の縁に平行に複数個並んで設けられているのが好ましい。
【００１１】
上記ミシン目の山形形状は、好ましくはＶ字形状、円弧形状、Ｕ字形状、四角形状、×印形状、十字が２つ並んでなる形状、Ｈ字形状又はＨ字の変形形状を含む。
【００１２】
上記収納袋の側壁に、上記ミシン目に隣接するように、離型剤を含む離型剤層が設けられると、より好ましい。
【発明の効果】
【００１３】
本発明に係る不正開封防止収納体によれば、収納袋に商品を入れてフラップで閉じた時に、フラップの粘着剤層が、収納体の側壁に設けられたミシン目に接着する。そしてそのミシン目の形状は、その裾野部分が上記開口部の方に向く山形形状を含むので、第３者が不正に開けた場合に、そのミシン目部分から収納袋が裂けて破れる。第３者がフラップを元に戻そうと収納袋の側壁に再び貼り付けても、開けた形跡が裂け目として歴然として残り、これにより第３者が不正に収納体を開けようとしたことが明瞭にわかる。ミシン目は、ミシン目付与装置で簡単に安価に付けることができる。
【図面の簡単な説明】
【００１４】
【図１】（Ａ）参考例１に係る不正開封防止収納体の正面図である。  （Ｂ）参考例１に係る不正開封防止収納体の斜視図である。  （Ｃ）図１（Ｂ）におけるＣ−Ｃ線に沿う断面図である。
【図２】参考例１に係る不正開封防止収納体の製造方法を説明するための概念図である。
【図３】参考例１に係る不正開封防止収納体の開口部を閉じる動作を説明する、開口部を閉じる前（Ａ）と閉じた後（Ｂ）の断面図である。
【図４】指でフラップを剥がそうとしたときの動作を説明する図である。
【図５】参考例２に係る不正開封防止収納体の種々の変形例の正面図である。
【図６】参考例３に係る不正開封防止収納体の正面図である。
【図７】種々の比較例に係る不正開封防止収納体の正面図である。
【図８】（Ａ）参考例４に係る不正開封防止収納体の正面図である。  （Ｂ）参考例４に係る不正開封防止収納体の斜視図である。  （Ｃ）図８（Ｂ）におけるＣ−Ｃ線に沿う断面図である。  （Ｄ）参考例４に係る不正開封防止収納体の作用効果を説明する図である。
【図９】（Ａ）実施例１に係る不正開封防止収納体の正面図である。  （Ｂ）実施例１に係る不正開封防止収納体の斜視図である。  （Ｃ）図９（Ｂ）におけるＣ−Ｃ線に沿う断面図である。  （Ｄ）実施例１に係る不正開封防止収納体の作用効果を説明する図である。
【図１０】（Ａ）実施例２に係る不正開封防止収納体の正面図である。  （Ｂ）実施例２に係る不正開封防止収納体の斜視図である。  （Ｃ）図１０（Ｂ）におけるＣ−Ｃ線に沿う断面図である。  （Ｄ）実施例２に係る不正開封防止収納体の作用効果を説明する図である。
【図１１】従来の不正開封防止収納体の概念図である。
【発明を実施するための形態】
【００１５】
第３者が不正に収納体を開けようとした場合、そのことが明瞭にわかるようにするという目的を、収納袋の側壁の一部分に設けられたミシン目の形状を、その裾野部分が開口部の方に向く山形形状にすることによって実現した。
【００１６】
以下、本発明の実施例を図面を参照しながら説明する。
（参考例１）
【実施例１】
【００１７】
図１に、参考例１に係る不正開封防止収納体の、正面図(Ａ)と斜視図（Ｂ）を示す。図１（Ｃ）は、図１（Ｂ）におけるＣ−Ｃ線に沿う断面図である。なお、本明細書では、収納体の底になる所から開口部に向かう方向を「上方向」ということとする。
【００１８】
これらの図を参照して、参考例１に係る不正開封防止収納体１は、上方に開口部２を有する収納袋３を備える。収納袋３の下方部はシール部７で閉じられている。なお、このシール部７は必須の構成ではない。袋の形態により、シールせずに折り曲げるだけの場合もある。フラップ４が収納袋３の開口部２の縁から上方向に延びるように設けられている。フラップ４と収納袋３は二軸延伸ポリプロピレンフィルムと無延伸ポリプロピレンフィルムの多層フィルムなどのプラスチックフィルムで形成され、一体化している。フラップ４は、図１（Ｂ）中の矢印で示すように折り曲げて、収納袋３の側壁の上方に位置する一部分に貼り付けられることにより開口部２の蓋をするものである。
【００１９】
フラップ４の、折り曲げられて収納袋３の側壁の一部分と接触する、その部分に粘着剤層５が設けられている。収納袋３の側壁の一部分にミシン目６が設けられている。ミシン目６の形状は、その裾野部分が開口部２の方に向く山形形状である。ここでは、山形形状としてＶ字形状が挙げられている。図中、８は貫通穴であるが、必ずしも必要なものではない。また、貫通穴８の周りのヘッダー部（シール部７より下方部分）も必須の構成ではない。
【００２０】
図２は、このような不正開封防止収納体１の製造方法を説明する概念図である。まず、ロール状のフィルム原反１１を準備する。フィルムをロールから引っ張り出しながら、ミシン目付与装置１３でフィルムにミシン目６を付ける。ミシン目６は、その裾野部分が山形形状のミシン目であるが、図では略して点線として描かれている。ミシン目６が付けられたフィルムを三角板１２に沿って半折する。三角板１２を通過後、フィルムは進行方向に対して９０°回転して折り畳まれる。その後溶断シールされ、不正開封防止収納体１が形成される。
【００２１】
図３を参照して、参考例に係る不正開封防止収納体においては、収納袋３に商品（図示せず）を入れてフラップ４を折り曲げて開口部２を閉じる際、フラップ４に設けられた粘着剤層５が、収納袋３の側壁に設けられた、その裾野部分が開口部２の方に向く山形形状を含むミシン目６に接着する。
【００２２】
以上のようにして商品を充填して密閉された、不正開封防止収納体の動作について説明する。
【００２３】
図４を参照して、第３者が不正に開けようと、指でフラップ４を剥がそうとすると、ミシン目６の、山の稜線で囲まれた三角部分が粘着剤層５にくっついて剥がれ、その裾野の両端から収納袋３が、開口部２の方向に向けて裂けて破れる。破れを回復させようと、フラップ４を、元に戻すように、収納袋３の側壁に再び貼り付けても、開けた形跡が裂け目として歴然として残り、第３者が不正に収納体を開けようとしたことが明瞭にわかる。
【００２４】
なお、後述する比較例のように、ミシン目の形状が、その裾野部分が開口部の方とは逆の方向に向く山形形状の場合には、収納袋３が破れにくいことが確認されている。
【００２５】
ミシン目６は、図１（Ａ）に示すように、開口部２の縁に平行に複数個並んで設けられているのが好ましいが、１つでもよい。
（参考例２）
【実施例２】
【００２６】
参考例１ではミシン目の山形形状として角度の小さいＶ字形状を例示したが、この発明はこれに限られるものではない。図５を参照して、ミシン目６の山形形状は、（Ａ）で示す角度の大きいＶ字形状、（Ｂ）で示す円弧又はＵ字形状、（Ｃ）で示す大きい円弧、（Ｄ）で示す四角形状、（Ｅ）で示す大きな四角形状、（Ｆ）で示す×印形状、（Ｇ）で示す２段に形成された×印形状の群、（Ｈ）で示す十字が複数個並んでなる形状が好ましい。いずれのミシン目の形状においても、その裾野部分が開口部の方に向く山形形状を含むことを特徴とする。
（参考例３）
【実施例３】
【００２７】
図６を参照して、（Ａ）に示すようなミシン目の山形形状はＨ字形状、又は（Ｂ）に示すようなＨ字の変形形状を含んでもよい。これらが複数並置されてもよい。このような実施例であっても、第３者が不正に開けた場合に、そのミシン目６の両端から収納袋３が、開口部２の方向に向けて裂けて破れる。フラップを元に戻そうと収納袋の側壁に再び貼り付けても、開けた形跡が歴然として残り、第３者が不正に収納体を開けようとしたことが明瞭にわかる。
【比較例】
【００２８】
図７（Ａ），（Ｂ）、（Ｃ）は、種々の比較例に係る不正開封防止収納体の正面図である。図７（Ａ）の収納体では、ミシン目６の形状が、その裾野部分が開口部２の方とは逆の方向に向く山形形状である所のＶ字形状であり、指でフラップを剥がそうとした場合、収納袋３が破れにくいことが確認された。図７（Ｂ）の収納体では、ミシン目６の形状が、その裾野部分が開口部２の方とは逆の方向に向く山形形状である所の円弧形状であり、同様に収納袋３が破れにくいことが確認された。図７（Ｃ）の収納体では、ミシン目６の形状が、短い直線の複数の並びであり、この場合も収納袋３が破れにくいことが確認された。
（参考例４）
【実施例４】
【００２９】
図８に、参考例４に係る不正開封防止収納体の、正面図(Ａ)と斜視図（Ｂ）を示す。図８（Ｃ）は、図８（Ｂ）におけるＣ−Ｃ線に沿う断面図である。図１に示す不正開封防止収納体と同一又は相当する部分には同一の参照番号を付し、その説明を繰り返さない。実施例４に係る不正開封防止収納体が、参考例１に係る不正開封防止収納体と異なる点は、粘着剤層５が、フラップ４の部分ではなく、収納袋の側壁の一部分に形成されたミシン目６に重なるように設けられている点である。このように構成することによっても、図８（Ｄ）を参照して、収納袋３に商品（図示せず）を入れてフラップ４を折り曲げて開口部２を閉じる際、粘着剤層５が、フラップ４とミシン目６とを接着する。第３者が不正に開けようと、指でフラップ４を剥がそうとすると、ミシン目６の、山の稜線で囲まれた三角部分が粘着剤層５にくっついて剥がれ、その裾野の両端から収納袋３が、開口部２の方向に向けて裂けて破れる。
（実施例１）
【実施例５】
【００３０】
図９に、実施例１に係る不正開封防止収納体の、正面図(Ａ)と斜視図（Ｂ）を示す。図９（Ｃ）は、図９（Ｂ）におけるＣ−Ｃ線に沿う断面図である。図１に示す不正開封防止収納体と同一又は相当する部分には同一の参照番号を付し、その説明を繰り返さない。実施例５に係る不正開封防止収納体が、参考例１に係る不正開封防止収納体と異なる点は、収納袋の側壁に形成されたミシン目６に隣接して、シリコンなどの離型剤を含む離型剤層９が設けられている点である。図９(Ｄ)を参照して、離型剤層９を設けることにより、フラップ４の端部が収納袋３の側壁に直接接着されないので、指でフラップ４を剥がしやすくなる。
（実施例２）
【実施例６】
【００３１】
図１０に、実施例２に係る不正開封防止収納体の、正面図(Ａ)と斜視図（Ｂ）を示す。図１０（Ｃ）は、図１０（Ｂ）におけるＣ−Ｃ線に沿う断面図である。図８に示す不正開封防止収納体と同一又は相当する部分には同一の参照番号を付し、その説明を繰り返さない。実施例６に係る不正開封防止収納体が、図８に示す不正開封防止収納体と異なる点は、収納袋の側壁に形成されたミシン目６に隣接して、離型剤を含む離型剤層９が設けられている点である。図１０(Ｄ)を参照して、離型剤層９を設けることにより、フラップ４の端部が収納袋３の側壁に直接接着されないので、指でフラップ４を剥がしやすくなる。
【００３２】
なお、上記実施例では、不正開封防止収納体の例として、スーパなどの食料品売り場内に陳列する食品の包装袋を例示したが、この発明はこれに限られるものでなく、秘密を要する文書を入れる袋、病院のカルテを入れるプラスチック製袋、文房具を入れるプラスチック製袋、薬品を入れるプラスチック製袋、その他不正開封されては困る収納体のいずれにも応用することができる。
【００３３】
また、上記実施例では、収納体の素材として二軸延伸ポリプロピレンフィルムと無延伸ポリプロピレンフィルムの多層フィルムを例示したが、本発明はこれに限られるものでなく、ヒートシール、溶断シールでシール可能であれば、いずれのものも使用できる。また、形状についても上記例は一例であり、フラップのついた形状であればいずれの袋形状のものでもよい。また、製袋方法についても、特に限定されない。
【００３４】
今回開示された実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００３５】
本発明の不正開封防止収納体によれば、第３者が不正に収納体を開けようとした場合、そのことが明瞭にわかり、購買者は安心して商品を購入できる。
【符号の説明】
【００３６】
１ 不正開封防止収納体
２ 開口部
３ 収納袋
４ フラップ
５ 粘着剤層
６ ミシン目
７ シール部
８ 貫通穴
９ 離型剤層
１１      フィルム原反
１２      三角板
１３      ミシン目付与装置
【図１】
0005481126.tif 000002
【図２】
0005481126.tif 000003
【図３】
0005481126.tif 000004
【図４】
0005481126.tif 000005
【図５】
0005481126.tif 000006
【図６】
0005481126.tif 000007
【図７】
0005481126.tif 000008
【図８】
0005481126.tif 000009
【図９】
0005481126.tif 000010
【図１０】
0005481126.tif 000011
【図１１】
0005481126.tif 000012